(57)【要約】【課題】簡単な構成により盗み出すことを断念させることができる投写型映像表示装置を提供することを課題とする。【解決手段】光源１から出射された光を表示デバイス３１，３２，３３を介して映像を投写する投写型映像表示装置において、投写型映像表示装置に働く加速度を検出する加速度センサ５６と、加速度センサ５６により検出された検出値から投写型映像表示装置の傾き角度を算出するマイコン５３と、マイコン５３が算出した投写型映像表示装置の傾き角度に基づいて映像の台形歪み補正を行う台形歪み補正手段とを備え、前記投写型映像表示装置は、盗難防止モードを有すると共に、盗難防止モードにおいて加速度センサ５６が検出する検出値に基づいて、機能を停止状態に拘束する拘束手段を有し、拘束手段により機能が拘束状態になっていることと、拘束状態を解除するためには使用者のバイオメトリクス認証が必要であることを報知する報知手段を有する。【選択図】    図６
2006243201.tif 000002
【特許請求の範囲】
【請求項１】
光源から出射された光を表示デバイスを介して映像を投写する投写型映像表示装置において、投写型映像表示装置に働く加速度を検出する加速度センサと、加速度センサにより検出された検出値から投写型映像表示装置の傾き角度を算出するマイコンと、マイコンが算出した投写型映像表示装置の傾き角度に基づいて映像の台形歪み補正を行う台形歪み補正手段とを備え、前記投写型映像表示装置は、盗難防止モードを有すると共に、盗難防止モードにおいて加速度センサが検出する検出値に基づいて、機能を停止状態に拘束する拘束手段を有し、拘束手段により機能が拘束状態になっているを報知すると共に、拘束状態を解除するためには使用者のバイオメトリクス認証が必要であることを報知する報知手段を有することを特徴とする投写型映像表示装置。
【請求項２】
前記報知手段は、音声メッセージにより構成されていることを特徴とする請求項１記載の投写型映像表示装置。
【請求項３】
前記報知手段は、表示デバイスを介して表示される映像により構成されていることを特徴とする請求項１または請求項２記載の投写型映像表示装置。
【請求項４】
前記投写型映像表示装置は、ネットワークを介して情報を送信する送信手段をさらに備え、前記報知手段を作動させる際には、使用者が予め設定しているアドレスに警告情報を送信することを特徴とする請求項１乃至請求項３のいずれか１項に記載の投写型映像表示装置。
【請求項５】
前記投写型映像表示装置は、警報手段をさらに備え、前記報知手段を作動させる際には、警報手段を作動させることを特徴とする請求項１乃至請求項４の何れか１項に記載の投写型映像表示装置。
【請求項６】
前記投射型映像表示装置は、盗難防止モードを解除させる盗難防止モード解除機能をさらに備え、盗難防止モード解除機能は使用者のバイオメトリクス認証によって作動することを特徴とする請求項１乃至請求項５の何れか１項に記載の投写型映像表示装置。
【請求項７】
前記投射型映像表示装置は、拘束手段を解除させる拘束解除機能をさらに備え、拘束解除機能は、使用者のバイオメトリクス認証によって作動することを特徴とする請求項１乃至請求項６の何れか１項に記載の投写型映像表示装置。
【請求項８】
前記盗難防止モード解除機能は、パスワード入力によって作動することを特徴とする請求項１乃至請求項５の何れか１項に記載の投写型映像表示装置。
【請求項９】
前記拘束解除機能は、パスワード入力によって作動することを特徴とする１乃至請求項５の何れか１項に記載の投写型映像表示装置。
【請求項１０】
前記盗難防止モード解除機能は、ＩＣタグ認証によって作動することを特徴とする請求項１乃至請求項５の何れか１項に記載の投写型映像表示装置。
【請求項１１】
前記拘束解除機能は、ＩＣタグ認証によって作動することを特徴とする１乃至請求項５の何れか１項に記載の投写型映像表示装置。
【請求項１２】
前記投写型映像表示装置は、ＡＣ電源からの電源の供給が遮断された場合、内蔵した電池から電源が供給されるように構成されていることを特徴とする請求項１乃至請求項１１の何れか１項に記載の投写型映像表示装置。
【発明の詳細な説明】
【技術分野】
【０００１】
本発明はプロジェクタなどの投写型映像表示装置の盗難防止機能に関する。
【背景技術】
【０００２】
この種、投写型映像表示装置として、アラーム制御装置と液晶プロジェクタを多芯ケーブルを介して接続されたものが知られている。
【０００３】
そして、液晶プロジェクタを持ち去ろうとして多芯ケーブルが切断されたり、多芯ケーブルの接続が取り外されたりすると、アラーム制御装置を作動させてブザー音による警報を発生させることにより盗難を防止している（例えば特許文献１参照）。
【特許文献１】特開平７−１６０９５５号公報
【発明の開示】
【発明が解決しようとする課題】
【０００４】
しかしながら、周囲に全く人がいない状態では、警報を発しても誰も気が付かないため、液晶プロジェクタが取り外されて持ち去られてしまうという課題があった。
【０００５】
そこで本発明は、このような課題を解決するためになされたものであり、簡単な構成により盗み出すことを断念させることができる投写型映像表示装置を提供することを課題とする。
【課題を解決するための手段】
【０００６】
上記課題を解決するための手段は、光源から出射された光を表示デバイスを介して映像を投写する投写型映像表示装置において、投写型映像表示装置に働く加速度を検出する加速度センサと、加速度センサにより検出された検出値から投写型映像表示装置の傾き角度を算出するマイコンと、マイコンが算出した投写型映像表示装置の傾き角度に基づいて映像の台形歪み補正を行う台形歪み補正手段とを備え、前記投写型映像表示装置は、盗難防止モードを有すると共に、盗難防止モードにおいて加速度センサが検出する検出値に基づいて、機能を停止状態に拘束する拘束手段を有し、拘束手段により機能が束状態になっていることを報知すると共に、拘束状態を解除するためには使用者のバイオメトリクス認証が必要であることを報知する報知手段を有することを特徴とする。
【０００７】
上記課題を解決するための手段において、前記報知手段は、音声メッセージにより構成されてもよい。
【０００８】
また、前記報知手段は、表示デバイスを介して表示される映像により構成されてもよい。
【０００９】
また、前記投写型映像表示装置は、ネットワークを介して情報を送信する送信手段をさらに備え、前記報知手段を作動させる際には、使用者が予め設定しているアドレスに警告情報を送信させてもよい。
【００１０】
また、前記投写型映像表示装置は、警報手段をさらに備え、前記報知手段を作動させる際には、警報手段を作動させてもよい。
【００１１】
また、前記投射型映像表示装置は、盗難防止モードを解除させる盗難防止モード解除機能をさらに備え、盗難防止モード解除機能は、使用者のバイオメトリクス認証によって作動させてもよい。
【００１２】
また、前記投射型映像表示装置は、拘束手段を解除させる拘束解除機能をさらに備え、拘束解除機能は使用者のバイオメトリクス認証によって作動させてもよい。
【００１３】
また、前記盗難防止モード解除機能は、パスワード入力によって作動させてもよい。
【００１４】
また、前記拘束解除機能は、パスワード入力によって作動させてもよい。
【００１５】
また、前記盗難防止モード解除機能は、ＩＣタグ認証によって作動させてもよい。
【００１６】
また、前記拘束解除機能は、ＩＣタグ認証によって作動させてもよい。
【００１７】
また、前記投写型映像表示装置は、ＡＣ電源からの電源の供給が遮断された場合、内蔵した電池から電源を供給してもよい。
【発明の効果】
【００１８】
本発明の請求項１の構成によれば、盗難防止モードに設定すると、液晶プロジェクタが盗まれそうになった時に機能を停止状態に拘束し、液晶プロジェクタが停止状態に拘束されていることを報知すると共に、この拘束を解除するためには使用者の指紋等のバイオメトリクス認証が必要であることを侵入者に報知することができるため、侵入者は盗み出しても使用することができないことを認識することができ、液晶プロジェクタが盗難にあうことを防止することができる。
【００１９】
また、液晶プロジェクタが盗まれそうになっていることを検出するセンサは、台形歪み補正を行うために液晶プロジェクタの傾き角度を検出する加速度センサと兼用しているため、構成を簡素化することができる等の効果を奏する。
【００２０】
本発明の請求項２の構成によれば、液晶プロジェクタが停止状態に拘束されていることと、この拘束を解除するためには使用者の指紋等のバイオメトリクス認証が必要であることを侵入者に音声により報知することができるため、確実に侵入者に認識させることができる等の効果を奏する。
【００２１】
本発明の請求項３の構成によれば、液晶プロジェクタが停止状態に拘束されていることと、この拘束を解除するためには使用者の指紋等のバイオメトリクス認証が必要であることを侵入者に映像により報知することができるため、確実に侵入者に認識させることができる等の効果を奏する。
【００２２】
本発明の請求項４の構成によれば、液晶プロジェクタが盗まれそうになったことを早急に認識することができると共に、その現場へ早急に到着することができるため、防犯効果を向上させることができる等の効果を奏する。
【００２３】
本発明の請求項５の構成によれば、液晶プロジェクタから警報を発生させることにより、液晶プロジェクタ以外の備品が盗まれることを抑制することができる等の効果を奏する。
【００２４】
本発明の請求項６の構成によれば、盗難防止モードは、使用者のバイオメトリクス認証を行わない限り解除することができない構成になっており、侵入者が盗難防止モードを解除することができなくなっているため、防犯効果を向上させることができる等の効果を奏する。
【００２５】
本発明の請求項７の構成によれば、使用者のバイオメトリクス認証という簡単な操作により、機能が停止状態に拘束されている拘束状態を解除することができるため、防犯効果を向上させることができると共に、拘束解除作業性を向上させることができる等の効果を奏する。
【００２６】
本発明の請求項８の構成によれば、盗難防止モードは、使用者のみが知り得るパスワードを入力しない限り解除することができない構成になっており、侵入者が盗難防止モードを解除することができなくなっているため、防犯効果を向上させることができる等の効果を奏する。
【００２７】
本発明の請求項９の構成によれば、使用者のみが知り得るパスワード入力という簡単な操作により、機能が停止状態に拘束されている拘束状態を解除することができるため、防犯効果を向上させることができると共に、拘束解除作業性を向上させることができる等の効果を奏する。
【００２８】
本発明の請求項１０の構成によれば、盗難防止モードは、使用者のみが所有するＩＣタグを認証させない限り解除することができない構成になっており、侵入者が盗難防止モードを解除することができなくなっているため、防犯効果を向上させることができる等の効果を奏する。
【００２９】
本発明の請求項１１の構成によれば、使用者のみが所有するＩＣタグ認証という簡単な操作により、機能が停止状態に拘束されている拘束状態を解除することができるため、防犯効果を向上させることができると共に、拘束解除作業性を向上させることができる等の効果を奏する。
【００３０】
本発明の請求項１２の構成によれば、液晶プロジェクタとＡＣ電源との接続が遮断された場合には、内蔵された電池からの電源が自動的に接続される構成となっているため、常に侵入者からの防犯機能を維持させることができる等の効果を奏する。
【発明を実施するための最良の形態】
【００３１】
本発明の一実施形態の投写型映像表示装置を図１乃至図６に基づいて以下に詳述する。
【００３２】
図１及び図２に示すように、本実施形態の投写型映像表示装置は３板式の液晶プロジェクタ３０を例として示している。液晶プロジェクタ３０の本体ケース４１内には、後述する光源１から投写レンズ１６に至るまでの光学系４２が配置されている。
【００３３】
図２は本体ケース４１内に配置された光学系４２を示している。光源１における発光部は、超高圧水銀ランプ、メタルハライドランプ、キセノンランプ等から成り、その照射光はパラボラリフレクタ２によって平行光となって出射され、インテグレータレンズ４へと導かれる。
【００３４】
インテグレータレンズ４は一対のレンズ群（フライアイレンズ）４ａ・４ｂから構成され、個々のレンズ部分が光源１から出射された光を後述する液晶ライトバルブ３１，３２，３３の全面に導くようになっており、光源１において存在する部分的な輝度ムラを平均化し、画面中央と周辺部とでの光量差を低減する。インテグレータレンズ４を経た光は、偏光変換装置５、及び集光レンズ６を経た後、第１ダイクロイックミラー７に導かれる。
【００３５】
第１ダイクロイックミラー７は、赤色波長帯域の光を透過し、シアン（緑＋青）の波長帯域の光を反射する。第１ダイクロイックミラー７を透過した赤色波長帯域の光は、反射ミラー８にて反射されて光路を変更される。反射ミラー８にて反射された赤色光はレンズ９を経て赤色光用の透過型の液晶ライトバルブ３１を透過することによって光変調される。また、第１ダイクロイックミラー７にて反射したシアンの波長帯域の光は、第２ダイクロイックミラー１０に導かれる。
【００３６】
第２ダイクロイックミラー１０は、青色波長帯域の光を透過し、緑色波長帯域の光を反射する。第２ダイクロイックミラー１０にて反射した緑色波長帯域の光は、レンズ１１を経て緑色光用の透過型の液晶ライトバルブ３２に導かれ、これを透過することで光変調される。また、第２ダイクロイックミラー１０を透過した青色波長帯域の光は、全反射ミラー１２、全反射ミラー１３、レンズ１４を経て青色光用の透過型の液晶ライトバルブ３３に導かれ、これを透過することで光変調される。
【００３７】
各液晶ライトバルブ３１，３２，３３は、入射側偏光板３１ａ，３２ａ，３３ａと、一対のガラス基板（画素電極や配向膜を形成してある）間に液晶を封入して成るパネル部３１ｂ，３２ｂ，３３ｂと、出射側偏光板３１ｃ，３２ｃ，３３ｃとから構成されている。
【００３８】
液晶ライトバルブ３１，３２，３３を経ることで変調された変調光（各色映像光）は、クロスダイクロイックプリズム１５によって合成されてカラー映像光となる。このカラー映像光は、投写レンズ１６によって拡大投写され、図示しないスクリーン上に表示される。
【００３９】
次に、液晶プロジェクタ３０の制御を図３に示す信号処理のブロック図に基づいて詳述する。図３において、入力端子５０には、ビデオ、パソコン等からのアナログ映像信号が入力され、それらの映像信号はＡ／Ｄコンバータ回路５１にてアナログからデジタルの映像信号に変換される。このデジタル化された映像信号は映像信号処理回路５２に送られる。この映像信号処理回路５２は、ＣＰＵであるマイコン５３の命令によって映像信号の画角を変換させる機能がある。映像処理信号回路５２から供給された映像信号は、Ｄ／Ａコンバータ回路５４にてデジタルからアナログに変換される。Ｄ／Ａコンバータ回路５４により供給された映像信号は液晶ライトバルブドライブ５５の液晶ライトバルブ３１，３２，３３の背面にある光源１によりその像が投射されて投写映像となる。その投射映像は、変倍可能な光学系４２の投写レンズ１６を介して図示しないスクリーンに投写される。
【００４０】
また、図４に示すように直交する水平２方向（Ｘ軸、Ｙ軸）と垂直方向（Ｚ軸）の３軸の加速度を検出する加速度センサ５６の出力は、マイコン５３に入力されるようになっている。また、指紋を検出する指紋センサ５７の出力も、マイコン５３に入力されるようになっている。マイコン５３には、ネットワークカード５８が接続され、ネットワークカード５８を介して有線あるいは無線ＬＡＮ接続の環境下において、電子メールが送信されるようになっている。また、マイコン５３には、警報を発生させるブザー５９が接続されている。本体ケース４１内には、２次電池６０が配置されており、ＡＣ電源６１が液晶プロジェクタ３０に接続されていない状態になれば、液晶プロジェクタ３０に電源を自動的に供給できるようになっている。また、液晶プロジェクタ３０には、本体ケース４１上に配置された防犯スイッチ６２（図１参照）を操作することにより作動する後述の盗難防止モードが設けられている。
【００４１】
次に、液晶プロジェクタ３０の台形歪み補正について詳述する。
【００４２】
液晶プロジェクタ３０を水平状態に設置すると、加速度センサ５６が検出する加速度Ｐは、Ｚ軸方向はＰＺ＝９．８（ｍ／ｓ２）、Ｘ，Ｙ軸の各方向は共にＰＸ＝０（ｍ／ｓ２）、ＰＹ＝０（ｍ／ｓ２）となる。
【００４３】
しかしながら、図５に示すように投写レンズ１６を上方に向けて角度θだけ傾斜させて設置すると、加速度Ｐは，Ｚ軸方向はＰＺ＝９．８×cosθ（ｍ／ｓ２）、Ｘ軸方向はＰＸ＝９．８×sinθ（ｍ／ｓ２）、Ｙ軸方向はＰＹ＝０（ｍ／ｓ２）となる。
【００４４】
従って傾斜角度θは，θ＝cos−１×（ＰＺ÷９．８）あるいはθ＝sin−１×（ＰＸ÷９．８）から算出することができる。そして、マイコン５３はこの算出された液晶プロジェクタ３０の傾き角度θに基づいて映像の台形歪み補正を行う。
【００４５】
次に、本願発明の盗難防止モードについて図６に基づいて詳述する。
【００４６】
設置している液晶プロジェクタ３０の防犯スイッチ６２が押されると、マイコン５３は防犯スイッチ６２が押されていることを検出し（Ｓ１のＹＥＳ）、音声により、例えば「盗難防止モードに入りました」等の通知（Ｓ２）をして盗難防止モードに入る（Ｓ３）。その後、液晶プロジェクタ３０を盗もうとして侵入者により液晶プロジェクタ３０が持ち上げられると、加速度センサ５６のＸ軸、Ｙ軸及びＺ軸方向の検出値が夫々、設置状態の値と異なる値を検出するため、この値の変化をマイコン５３が検出すると（Ｓ４のＹＥＳ）、全ての機能を停止状態に拘束する（Ｓ５）と共に、音声により、例えば「全ての機能は拘束されました、拘束を解除しない限り使用することはできません。拘束を解除するためには使用者の指紋を認証させる必要があります」等の警告メッセージを発生させる（Ｓ６）。
【００４７】
この警告メッセージにより、侵入者には、液晶プロジェクタ３０を盗み出しても使用することができないことを認識させることができるため、使用できなくなった液晶プロジェクタ３０を持ち出そうとすることを断念させることができる。この結果、液晶プロジェクターの盗難を防止することができる。
【００４８】
また、この時、液晶プロジェクタ３０のＡＣ電源６１との接続が侵入者によって遮断されている虞があるが、液晶プロジェクタ３０とＡＣ電源６１との接続が遮断された場合には、２次電池６０からの電源が自動的に接続される構成となっているため、常に侵入者からの防犯機能を維持させることができるようになっている。
【００４９】
上述した音声による警告メッセージにより、液晶プロジェクタ３０の盗難を防止することができるが、侵入者が液晶プロジェクタ３０周辺の備品を盗む虞がある。このため、音声による警告メッセージの後に、液晶プロジェクタ３０からブザー音等の警報を発生させる（Ｓ７）ことにより、侵入者に退散を促すと共に、使用者が予め登録している使用者の携帯電話等のメールアドレスに警報メッセージを送信する（Ｓ８）ことにより、使用者は早急に現場に到着することができる。
【００５０】
盗難を防止することができた液晶プロジェクタ３０は、使用者の指紋を指紋センサ５７に照合させることにより盗難防止モードは解除される（Ｓ９のＹＥＳ）と共に、機能の拘束状態は解除される（Ｓ１０）。
【００５１】
このようにして、盗難防止モードに設定すると、液晶プロジェクタ３０が盗まれそうになった時に機能を停止状態に拘束し、液晶プロジェクタ３０が停止状態に拘束されていることを報知すると共に、この拘束を解除するためには使用者の指紋等のバイオメトリクス認証が必要であることを侵入者に報知することができるため、侵入者は盗み出しても使用することができないことを認識することができ、液晶プロジェクタ３０が盗難にあうことを防止することができる。
【００５２】
また、液晶プロジェクタ３０が盗まれそうになっていることを検出するセンサは、台形歪み補正を行うために液晶プロジェクタ３０の傾き角度を検出する加速度センサ５６と兼用しているため、構成を簡素化することができる。
【００５３】
また、液晶プロジェクタ３０を停止状態に拘束し、その旨を報知すると共に、拘束を解除するためには使用者のバイオメトリクスを認識させる必要があると侵入者に認識させることにより、液晶プロジェクタ３０の盗難を防止することができるが、液晶プロジェクタ３０を設置している周辺に設置している備品が盗まれる虞がある。これに対して、本発明の実施の形態では、液晶プロジェクタ３０から警報を発生させることにより、液晶プロジェクタ３０以外の備品が盗まれることを抑制することができる。
【００５４】
また、この時、液晶プロジェクタ３０からは、使用者が予め設定した携帯電話等のメールアドレスに警報メールを発信させるように構成しており、使用者は液晶プロジェクタ３０が盗まれそうになったことを早急に認識することができると共に、その現場へ早急に到着することができるため、防犯効果を向上させることができる。
【００５５】
また、使用者の指紋を指紋センサ５７に照合させる等の簡単な操作により、機能拘束状態を解除することができるため、防犯効果を向上させることができると共に、拘束解除作業性を向上させることができる。また、盗難防止モードは、使用者の指紋を指紋センサ５７に照合させる等のバイオメトリクス認証を行わない限り解除することができない構成になっており、侵入者が盗難防止モードを解除することができなくなっているため、防犯効果を向上させることができる。
【００５６】
尚、本発明の実施形態では、侵入者が液晶プロジェクタ３０を盗もうとして移動させた際に、液晶プロジェクタ３０の機能が拘束されていること等を音声により報知する構成にしたが、この構成に限定されるものではない。拘束されていると共に、拘束を解除するためには使用者の指紋等の認証が必要である旨のメッセージを投写レンズ１６から投写される映像により報知する構成にしてもよい。また、映像による報知と音声による警告メッセージとを併用させる構成にしてもよい。
【００５７】
また、本発明の実施形態では、盗難防止モード、あるいは、拘束状態を解除させるために使用者の指紋を認証させる構成にしたが、この構成に限定されるものではない。例えば、音声認識や角膜認識等の他のバイオメトリクスによる認証や、ＩＣタグ認証、あるいはパスワード入力等により解除する構成してもよい。
【００５８】
また、本発明の実施形態では、警報メールを使用者の携帯電話に送信させる構成にしたが、この構成に限定されるものではない。使用者が契約している警備保障会社等に警報メールを送信させる構成にしてもよい。
【００５９】
また、本発明の実施形態では、液晶表示パネルを用いた液晶プロジェクタを例示したが、他の映像光生成系を備える投写型映像表示装置においても本発明を適用できる。前面投写型の他、背面投写型映像表示装置においても本発明を適用することができる。また、ＤＬＰ（Digital Light Processing）（テキサス・インスツルメンツ（ＴＩ）社の登録商標）方式のプロジェクタにおいても本発明を適用することができる。
【図面の簡単な説明】
【００６０】
【図１】本発明の一実施形態の液晶プロジェクタの外観斜視図である。
【図２】同液晶プロジェクタの光学系を示した構成図である。
【図３】同液晶プロジェクタの信号処理系を示したブロック図である。
【図４】同液晶プロジェクタの加速度センサが検出する加速度の方向を示す図である。
【図５】同液晶プロジェクタの傾き角度を示す側面図である。
【図６】同液晶プロジェクタの防犯モードの制御を示すフローチャートである。
【符号の説明】
【００６１】
１    光源
３１  液晶ライトバルブ（表示デバイス）
３２  液晶ライトバルブ（表示デバイス）
３３  液晶ライトバルブ（表示デバイス）
５３  マイコン
５６  加速度センサ
【図１】
2006243201.tif 000003
【図２】
2006243201.tif 000004
【図３】
2006243201.tif 000005
【図４】
2006243201.tif 000006
【図５】
2006243201.tif 000007
【図６】
2006243201.tif 000008